(57)【要約】【課題】原稿の厚さに関係なく、生産性を低下させることなく、正確に原稿セット位置の微調整及び画像のスキューの補正を行うことができる画像読取装置を提供する。【解決手段】前搬送ローラ１１、後搬送ローラ１２等により原稿１を搬送し、画像読取センサ１５によって原稿１の画像面を読み取り、移動レバー４を操作することによって移動可能な画像撮影装置３と、画像撮影装置３によって撮影された原稿１の画像面を原稿位置目印とともに表示する操作パネル１０とを有し、ユーザが操作パネル１０を見ながら原稿１の位置を調整することができる。【選択図】  図１
2015082717.tif 000002
【特許請求の範囲】
【請求項１】
原稿を搬送する搬送手段と、
前記原稿を前記搬送手段によって搬送しながら前記原稿の画像面を読み取る読取手段と、
を有する画像読取装置であって、
前記原稿の画像面を撮影する撮影手段と、
前記撮影手段によって撮影された前記原稿の画像面を表示する表示手段と、
を備え、
前記表示手段は、前記原稿の位置を調整するためのマークを前記原稿の画像面とともに表示することを特徴とする画像読取装置。
【請求項２】
前記撮影手段を前記原稿の搬送方向に対する直角方向に移動させる移動手段を有することを特徴とする請求項１記載の画像読取装置。
【請求項３】
前記搬送手段は、前記原稿の画像面を下向きにして搬送することを特徴とする請求項１または２記載の画像読取装置。
【請求項４】
前記搬送手段は、前記原稿の画像面を上向きにして搬送することを特徴とする請求項１または２記載の画像読取装置。
【請求項５】
前記表示手段は、前記撮影手段によって撮影された前記原稿の画像面を左右反転させて表示することを特徴とする請求項１から３のいずれか１項に記載の画像読取装置。
【請求項６】
請求項１から５のいずれか１項に記載の画像読取装置を備えた画像形成装置。
【請求項７】
原稿の画像面を撮影するステップと、
撮影した前記原稿の画像面を前記原稿の位置を調整するためのマークとともに表示するステップと、
前記マークにより前記原稿の位置を調整するステップと、
前記原稿を搬送しながら前記原稿の画像面を読み取るステップと、
を有する画像読取方法。
【発明の詳細な説明】
【技術分野】
【０００１】
本発明は画像読取装置、画像形成装置及び画像読取方法に関し、特に、原稿の厚さに関係なく、生産性を低下させず、正確に原稿セット位置の微調整及び画像スキューの補正を行うことができる画像読取装置、画像形成装置及び画像読取方法に関する。
【背景技術】
【０００２】
従来から、原稿を搬送しながら画像を読み取る画像読取装置が知られている。このような画像読取装置において、原稿をセットする際にセット位置の微調整や画像スキューの補正が必要な場合がある。
【０００３】
特許文献１で開示されている画像読取装置では、一旦下向きにセットされた原稿の画像を読み取り、読み取った画像情報に対してスキューの補正処理を施す。この時、原稿画像のエッジ情報、罫線情報、文字列情報等の特徴量に基づいて複数の傾き角度の候補を求める。求めた複数の傾き角度の候補を、ユーザが認識しやすい表現で表示装置に表示し、ユーザは表示された候補の中から所望する傾き角度を選択することができる。
【０００４】
また、特許文献２で開示されている画像読取装置では、原稿テーブルに置かれた原稿に対し、照明手段によって原稿テーブルの下側から光を照射し、下向きにセットされている原稿の画像面が原稿の上側から透けて見えるようにする。ユーザはこの透過画像を見ながら原稿の傾きを修正することができる。
【発明の概要】
【発明が解決しようとする課題】
【０００５】
特許文献１で開示されている画像読取装置では、一旦画像を読み取るため時間がかかってしまい、生産性が低下するという問題がある。特許文献２で開示されている画像読取装置では、明るい照明が必要となり、操作する時に眩しく、透過画像のため鮮明でないため正確に補正ができないという問題や、厚手の原稿は照明で透過できないため補正することができないという問題がある。
【０００６】
本発明の目的は、原稿の厚さに関係なく、生産性を低下させず、正確に原稿セット位置の微調整及び画像スキューの補正を行うことができる画像読取装置を提供することにある。
【課題を解決するための手段】
【０００７】
本発明の画像読取装置は、原稿を搬送する搬送手段と、前記原稿を前記搬送手段によって搬送しながら前記原稿の画像面を読み取る読取手段と、を有する画像読取装置であって、前記原稿の画像面を撮影する撮影手段と、前記撮影手段によって撮影された前記原稿の画像面を表示する表示手段と、を備え、前記表示手段は、前記原稿の位置を調整するためのマークを前記原稿の画像面とともに表示することを特徴とする。
【発明の効果】
【０００８】
本発明によれば、原稿の厚さに関係なく、生産性を低下させず、正確に原稿セット位置の微調整及び画像スキューの補正を行うことができる画像読取装置を提供することができる。
【図面の簡単な説明】
【０００９】
【図１】本発明の画像読取装置の実施形態１の側面図である。
【図２】本発明の画像読取装置の実施形態１の上面図である。
【図３】本発明の画像読取装置の実施形態１の撮影装置で撮影し、表示部に表示した原稿の位置修正前後の状態を示す図である。
【図４】本発明の画像読取装置の実施形態２の側面図である。
【図５】本発明の画像読取装置の実施形態２の上面図である。
【図６】本発明の画像読取装置の実施形態２の撮影装置で撮影し、表示部に表示した原稿の位置修正前後の状態を示す図である。
【図７】従来の画像読取装置の原稿テーブル上の位置修正前後の状態を示す図である。
【発明を実施するための形態】
【００１０】
＜本発明の画像読取装置の実施形態１の構成＞
本発明の画像読取装置の実施形態１は、画像形成装置に備え付けられている。
【００１１】
図１及び図２に示すように、搬送手段として、原稿テーブル２、透明カバー２ａ、原稿位置目印２ｂ、原稿挿入検知センサ７、画像レジストセンサ８、原稿排紙ローラ９、前搬送ローラ１１、後搬送ローラ１２、駆動プーリ１３ａ、駆動プーリ１３ｂ、駆動ベルト１４が設けられている。１００ａ、１００ｂ及び１００ｃは、原稿１が搬送される方向を示している。
【００１２】
図２に示すように、原稿テーブル２上には、原稿１の位置を調整するためのマークとして原稿１の搬送方向と平行に原稿位置目印２ｂが印されている。原稿テーブル２上の、原稿挿入検知センサ７に至る手前の位置には、透明カバー２ａが設けられている。
【００１３】
原稿テーブル２の先には、原稿１の搬送方向に沿って、原稿挿入検知センサ７、前搬送ローラ１１、画像レジストセンサ８、後搬送ローラ１２、原稿排紙ローラ９が設けられている。前搬送ローラ１１と、後搬送ローラ１２は駆動プーリ１３ａ、駆動プーリ１３ｂ及び駆動ベルト１４を介して連結されている。
【００１４】
図１及び図２に示すように、前搬送ローラ１１と後搬送ローラ１２の間には、読取手段として画像読取センサ１５、白色ガイド版１６、コンタクトガラス１７が設けられている。
【００１５】
白色ガイド版１６は、原稿１が通過する位置の上側に備え付けられている。コンタクトガラス１７は原稿１が通過する位置の下側に、画像読取センサ１５はコンタクトガラス１７の更に下側に備え付けられている。
【００１６】
原稿テーブル２の下側には、撮影手段として画像撮影装置３、移動レバー４、ラックギヤ５、ピニオンギヤ６が設けられている。画像撮影装置３は、透明カバー２ａの直下に位置している。画像撮影装置３は、ラックギヤ５、ピニオンギヤ６、移動レバー４と連結されており、移動レバー４と連動して１０１に示す原稿搬送方向に対して直角な方向に移動可能である。画像撮影装置３としては、ＣＣＤカメラ等を用いる。
【００１７】
表示手段としては、搬送装置の上側に備え付けられた操作パネル１０が機能する。ユーザは原稿１をセットしつつ操作パネル１０の表示を見ることができる。
【００１８】
＜本発明の画像読取装置の実施形態１の動作＞
図１、図２、図３を用いて実施形態１の動作について説明する。まず、原稿テーブル２上に原稿１を、画像面を下向きにしてセットする。この時、下方から原稿１の画像情報が認識可能な画像撮影装置３によって撮影された画像が、左右反転された状態で操作パネル１０に表示されている。図３の（ａ）は、この時操作パネル１０に表示されている画像を示している。この場合、原稿図枠１ａと、原稿１とが平行でないため、このまま搬送して読み取りを行うと、スキュー画像となってしまう。ユーザは操作パネル１０を見ながら、原稿１上の目印となる原稿図枠１ａと原稿テーブル上の原稿位置目印２ｂを目安に、原稿１を正しい位置にセットし、図３の（ｂ）に示す状態にする。また、移動レバー４を操作して、原稿１をセットしやすい位置に画像撮影装置３を移動させることが可能である。
【００１９】
原稿テーブル２上にセットした原稿１を前搬送ローラ１１にその先端を当てるように挿入すると、原稿挿入検知センサ７により原稿１のセットを認識する。そして、図示しない原稿搬送モータの回転駆動により、駆動ベルト１４と駆動プーリ１３ａを介して前搬送ローラ１１を回転駆動し、原稿１を１００ａ、１００ｂ、１００ｃに示す方向へ搬送する。
【００２０】
画像レジストセンサ８で原稿１の先端を検知して、読み取りタイミングを合わせて白色ガイド板１６、コンタクトガラス１７の間で、画像読取センサ１５により、原稿１の画像が読み取られ、図示しない画像処理部で画像データが処理させられる。さらに原稿１は、画像読み取り後、図示しない原稿搬送モータの回転駆動により、駆動ベルト１４と駆動プーリ１３ｂを介して後搬送ローラ１２を回転駆動する事により原稿排紙ローラ９へ搬送され、原稿排紙ローラ９により機外に排出される。
【００２１】
＜本発明の画像読取装置の実施形態１の作用・効果＞
原稿を上向きにセットする画像読取装置では、画像の位置調整を行いながら原稿のセットを行うことが可能である。しかし、読み取り精度やコストの問題により、原稿を下向きにセットする画像読取装置が主流となっている。原稿を下向きにセットする画像読取装置では、原稿をセットする時に位置調整ができないという問題がある。特許文献１及び特許文献２ではこの問題の解決を目的としているが、前述の通り課題が残されている。
【００２２】
特許文献１で開示されている画像読取装置では、一旦画像を読み取るため時間がかかってしまい、生産性が低下するという問題がある。実施形態１によれば、原稿１を下向きにセットする場合であっても、画像を一旦読み取ることなくセット位置の調整及びスキュー画像の補正をすることが可能である。
【００２３】
また、特許文献２で開示されている画像読取装置では、明るい照明が必要となり、操作する時に眩しく、透過画像のため鮮明でないため正確に補正ができないという問題や、厚手の原稿は照明で透過できないため補正することができないという問題がある。実施形態１によれば、画像撮影装置３によって操作パネル１０に原稿１の画像を鮮明に表示できるため、原稿が厚手である場合でも問題がなく、ユーザは正確に原稿のセット位置を確認できる。さらに、下から光を照射することもないため、ユーザが眩しく感じることもない。
【００２４】
さらに、図３のＲで示すように、操作パネル１０に表示される画像は、左右反転している。そのため、操作パネル１０に表示される画像は原稿を操作した方向と同じ方向に動くため、ユーザは違和感なくセット位置の調整及びスキュー画像の補正を行うことができる。
【００２５】
＜本発明の画像読取装置の実施形態２の構成＞
本発明の画像読取装置の実施形態２は、図４、図５に示すように、実施形態１と撮影手段及び読取手段の位置が異なっている。
【００２６】
白色ガイド版１６は、原稿１が通過する位置の下側に備え付けられている。コンタクトガラス１７は原稿１が通過する位置の上側に、画像読取センサ１５はコンタクトガラス１７の更に上側に備え付けられている。
【００２７】
原稿テーブル２の上側で、さらに原稿１より上側の位置であって、原稿挿入検知センサ７に至る手前の位置には、透明カバー２ａが設けられている。実施形態１では原稿位置目印２ｂは原稿テーブル上に印されていたが、実施形態２では、透明カバー２ａ上に原稿位置目印２ｂが印されている。
【００２８】
画像撮影装置３は、透明カバー２ａの上側に位置している。画像撮影装置３は、ラックギヤ５、ピニオンギヤ６、移動レバー４と連結されており、移動レバー４と連動して原稿搬送方向に対して直角方向に移動可能である点は実施形態１と同様である。
【００２９】
＜本発明の画像読取装置の実施形態２の動作＞
図４、図５、図６を用いて、実施形態２の動作について説明する。図４、図５に示すように、実施形態２においては、実施形態１では下向きであったのに対し、ユーザは画像面を上向きにした状態で原稿１をセットする。その後、実施形態１と同様に、操作パネル１０の表示を見ながら原稿１を正しい位置にセットする。
【００３０】
図６の（ａ）は、原稿１が正しい位置にセットされる前の操作パネル１０に表示される画像を示しており、図６の（ｂ）は原稿１が正しい位置にセットされた後の操作パネル１０に表示される画像を示している。図６より、原稿の画像面を上向きにセットする場合でも、原稿位置目印２ｂの全体が操作パネル１０に表示されていることが分かる。
【００３１】
原稿テーブル２上にセットした原稿１を前搬送ローラ１１にその先端を当てるように挿入すると、原稿の搬送が始まる。以降の動作は実施形態１の場合と同様である。
【００３２】
＜本発明の画像読取装置の実施形態２の作用・効果＞
原稿の画像面を上向きにして搬送する方式の画像読取装置では、目印を目安に原稿セット位置の微調整をすることや、画像スキューを補正しながら原稿を挿入することができる。
しかし、原稿位置目印を原稿自身が隠してしまう場合がある。図７は、原稿位置目印２ｂの破線部で示す部分が原稿１によって隠れている状態で原稿の位置合わせを行っている様子を表している。このような場合、ユーザが目見当によって原稿の位置合わせを行うため、正確性が劣るという問題がある。実施形態２によれば、原稿位置目印が原稿によって隠されることがないため、ユーザは原稿位置目印の全体を確認しながら正確に原稿のセット位置の調整及びスキュー画像の補正を行えるという効果がある。
【００３３】
なお、上記の実施形態は、本発明の好適な実施形態であり、上記実施形態のみに本発明を限定するものではなく、本発明の要旨を逸脱しない範囲において種々の変更を施した形態での実施が可能である。
【００３４】
例えば、原稿位置目印を実際には印さない画像読取装置が考えられる。前述の実施形態１では原稿テーブル２上に、実施形態２では透明カバー２ａ上に印刷位置目印を印しているが、代わりに、画像処理手段によって操作パネルの画像の中に仮想的に原稿位置目印を表示する画像読取装置が考えられる。
【符号の説明】
【００３５】
１    原稿
１ａ    原稿図枠
２    原稿テーブル
２ａ    透明カバー
２ｂ    原稿位置目印
３    画像撮影装置
４    移動レバー
５    ラックギヤ
６    ピニオンギヤ
７    原稿挿入検知センサ
８    画像レジストセンサ
９    原稿排紙ローラ
１０    操作パネル
１１    前搬送ローラ
１２    後搬送ローラ
１３ａ    駆動プーリ
１３ｂ    駆動プーリ
１４    駆動ベルト
１５    画像読取センサ
１６    白色ガイド版
１７    コンタクトガラス
【先行技術文献】
【特許文献】
【００３６】
【特許文献１】特開２００６−８７０２７号公報
【特許文献２】特開２０１３−４２２９３号公報
【図１】
2015082717.tif 000003
【図２】
2015082717.tif 000004
【図３】
2015082717.tif 000005
【図４】
2015082717.tif 000006
【図５】
2015082717.tif 000007
【図６】
2015082717.tif 000008
【図７】
2015082717.tif 000009